【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
ネットワーク・アドレスへのリンクを選択する入力を受け取るステップと、
前記ネットワーク・アドレスへの前記リンクの選択に応答して、１又は複数のメニュ・アイテムを含むメニュを出力するステップと、
特定の前記メニュ・アイテムを選択する他の入力を受け取るステップと、
前記他の入力の受け取りに応答して、前記ネットワーク・アドレスと類似する少なくとも１つの他のネットワーク・アドレスを探し当てるサーチ・クエリを形成するステップと、
を含み、クライアントに記憶されたネットワーク・アドレス・モジュールが前記サーリ・クエリを形成し、形成された前記サーチ・クエリが、選択された前記ネットワーク・アドレスに少なくとも部分的に基づくことを特徴とする方法。
【請求項２】
請求項１記載の方法において、前記リンクの選択はカーソル制御デバイスのユーザによって実行され、前記リンクはユニフォーム・リソース・ロケータ（ＵＲＬ）であることを特徴とする方法。
【請求項３】
請求項１記載の方法において、
前記サーチ・クエリは、ネットワーク経由でサーチ・サービスと行う通信のために構成されており、
前記サーチ・サービスは、前記ネットワーク・アドレスのコンテンツと類似するコンテンツを有する前記他のネットワーク・アドレスを探し当てるように動作可能である
ことを特徴とする方法。
【請求項４】
請求項１記載の方法において、
前記少なくとも１つの他のネットワーク・アドレスを含むサーチ結果をサーチ・サービスからネットワーク経由で受け取るステップと、
前記ネットワーク・アドレスへの前記リンクが前記サーチ・クエリのソースとして指示されるように、前記サーチ結果を出力するステップと、
を更に含むことを特徴とする方法。
【請求項５】
請求項１記載の方法において、
前記少なくとも１つの他のネットワーク・アドレスを含むサーチ結果を受け取るステップと、
前記サーチ結果に含まれているネットワーク・アドレスが、選択されたときには前記ネットワーク・アドレスがリンクのメニュの中に含まれるようにするコマンドを有するように、前記サーチ結果を出力するステップと、
を更に含むことを特徴とする方法。
【請求項６】
請求項５記載の方法において、前記メニュはブラウザに含まれていることを特徴とする方法。
【請求項７】
請求項５記載の方法において、前記メニュはユーザによって特定されたお気に入りリンクのリストを含むことを特徴とする方法。
【請求項８】
請求項１記載の方法において、前記サーチ・クエリを構成するのに用いられたネットワーク・アドレスはブラウザの中のリンクのメニュに含まれていることを特徴とする方法。
【請求項９】
メニュからメニュ・アイテムを選択する入力を受け取るステップと、
前記入力の受け取りに応答して、前記メニュを出力するように選択されたネットワーク・アドレスから入手可能なコンテンツと類似するコンテンツを有する少なくとも１つの他のネットワーク・アドレスを探し当てるサーチ・クエリを形成するステップであって、形成された前記サーチ・クエリが、前記メニュを出力するよう選択された前記ネットワーク・アドレスに少なくとも部分的に基づいているステップと、
クライアントに記憶されたネットワーク・アドレス・モジュールによって形成される前記サーチ・クエリに応答してネットワーク経由でサーチ・サービスからサーチ結果を受け取るステップと、
を含むことを特徴とする方法。
【請求項１０】
請求項９記載の方法において、
前記メニュを出力する前記ネットワーク・アドレスの選択はカーソル制御デバイスのユーザによって実行され、
前記ネットワーク・アドレスはユニフォーム・リソース・ロケータ（ＵＲＬ）である
ことを特徴とする方法。
【請求項１１】
請求項９記載の方法において、
前記サーチ・クエリは、ネットワーク経由でサーチ・サービスと行う通信のために構成されており、
前記サーチ・サービスは、前記少なくとも１つの他のネットワーク・アドレスを探し当てるように動作可能である
ことを特徴とする方法。
【請求項１２】
請求項９記載の方法において、前記メニュを出力するように選択されたネットワーク・アドレスへのリンクが前記サーチ・クエリのソースとして指示されるように、前記サーチ結果を出力するステップを更に含むことを特徴とする方法。
【請求項１３】
請求項９記載の方法において、前記サーチ結果に含まれている前記１つ又は複数のネットワーク・アドレスが、選択されたときには前記ネットワーク・アドレスがリンクのメニュの中に含まれるようにするコマンドを含むように、前記サーチ結果を出力するステップを更に含むことを特徴とする方法。
【請求項１４】
請求項１３記載の方法において、前記メニュはブラウザに含まれており、ユーザによって特定されたお気に入りリンクのリストであることを特徴とする方法。
【請求項１５】
請求項９記載の方法において、前記サーチ・クエリを構成するのに用いられたネットワーク・アドレスはブラウザの中のリンクのメニュに含まれていることを特徴とする方法。
【請求項１６】
コンピュータ実行可能な命令を含む１つ又は複数のコンピュータ可読媒体であって、前記コンピュータ実行可能な命令は、実行されると、
第１のネットワーク・アドレスへのリンクを選択する入力を受け取ること、
前記第１のネットワーク・アドレスへのリンクの選択の受け取りに応答して、１つ又は複数のメニュ・アイテムを含むポップアップ・メニュを出力すること、
クライアントに記憶されたネットワーク・アドレス・モジュールによってサーチ・クエリを形成して、前記第１のネットワーク・アドレスから入手可能なコンテンツと類似するコンテンツを有する第２のネットワーク・アドレスを探し当て、前記サーチ・クエリが、前記第１のネットワーク・アドレスへのリンクの選択に応答して形成され、前記第１のネットワーク・アドレスに少なくとも部分的に基づいていること
をコンピュータに命令することを特徴とする１つ又は複数のコンピュータ可読媒体。
【請求項１７】
請求項１６に記載された１つ又は複数のコンピュータ可読媒体において、
前記サーチ・クエリは、ネットワーク経由でサーチ・サービスと行う通信のために構成されており、
前記サーチ・サービスは、前記第２のネットワーク・アドレスを探し当てるように動作可能である
ことを特徴とする１つ又は複数のコンピュータ可読媒体。
【請求項１８】
請求項１６に記載された１つ又は複数のコンピュータ可読媒体において、前記メニュを出力するように選択されたネットワーク・アドレスへのリンクが前記サーチ・クエリのソースとして指示されるように、サーチ結果を出力するステップを更に含むことを特徴とする１つ又は複数のコンピュータ可読媒体。
【請求項１９】
請求項１６に記載された１つ又は複数のコンピュータ可読媒体において、前記サーチ結果に含まれている１つ又は複数のネットワーク・アドレスが、選択されたときには前記ネットワーク・アドレスがリンクのメニュの中に含まれるようにするコマンドを有するように、サーチ結果を出力するステップを更に含むことを特徴とする１つ又は複数のコンピュータ可読媒体。
【請求項２０】
請求項１６記載の１つ又は複数のコンピュータ可読媒体において、前記メニュはブラウザに含まれており、ユーザによって特定されたお気に入りリンクのリストであることを特徴とする１つ又は複数のコンピュータ可読媒体。